(57)【要約】【課題】パッキンによる良好なシール性を確保しつつリテーナを円滑に装着することが可能な防水コネクタを提供する。【解決手段】リテーナ７０は、コネクタ部２１に形成されてコネクタ部２１の側面で開口するリテーナ装着穴４４に嵌め込まれる本体部７３と、本体部７３から外側へ延び、リテーナ装着穴４４へ本体部７３を嵌合させた際にコネクタ部２１の外面を係止するロック片７４と、を有する。ロック片７４は、パッキン４６側に、コネクタ部２１に対する装着方向Ｄ２の前方側へ向かって次第にパッキン４６から離れる方向へ傾斜する逃げ部７８を有する。【選択図】図９
2020024824.tif 000002
【特許請求の範囲】
【請求項１】
接続端子を収容する端子収容室を備えたコネクタ部を有し、前記コネクタ部が相手側ハウジングの嵌合凹部に嵌合されることで前記相手側ハウジングと接合されるハウジングと、
前記相手側ハウジングとの接合端側から前記コネクタ部に嵌装され、前記コネクタ部と前記相手側ハウジングの前記嵌合凹部とを防水する環状のパッキンと、
前記コネクタ部における前記パッキンの装着位置よりも前記接合端側において、前記端子収容室への前記接続端子の挿入方向と直交する方向から装着されて前記接続端子を係止可能なリテーナと、
を備え、
前記リテーナは、
前記コネクタ部に形成されて前記コネクタ部の側面で開口するリテーナ装着穴に嵌め込まれる本体部と、
前記本体部から外側へ延び、前記リテーナ装着穴へ前記本体部を嵌合させた際に前記コネクタ部の外面を係止するロック片と、
を有し、
前記ロック片は、前記パッキン側に、前記コネクタ部に対する装着方向の前方側へ向かって次第に前記パッキンから離れる方向へ傾斜する逃げ部を有する
ことを特徴とする防水コネクタ。
【請求項２】
請求項１に記載の防水コネクタであって、
前記逃げ部は、前記装着方向に対する傾斜角度が４５°未満とされている
ことを特徴とする防水コネクタ。
【請求項３】
請求項１または請求項２に記載の防水コネクタであって、
前記コネクタ部には、前記接合端側にフロントホルダが組付けられ、
前記パッキンは、前記フロントホルダ及び前記リテーナの前記ロック片によって前記コネクタ部から抜け止めされる
ことを特徴とする防水コネクタ。
【発明の詳細な説明】
【技術分野】
【０００１】
本発明は、防水コネクタに関する。
【背景技術】
【０００２】
従来より、相手側コネクタと接合させた際に、互いのハウジングの接合箇所を防水する環状のパッキンを備えた防水コネクタがある。この防水コネクタには、ハウジングに形成されたリテーナ装着穴に嵌め込まれるリテーナ（二重係止部材）を備え、このリテーナによって、ハウジングの端子収容室に収容される接続端子をハウジングに形成されたランスとともに二重係止するものが知られている（例えば、特許文献１，２参照）。
【先行技術文献】
【特許文献】
【０００３】
【特許文献１】特許第５５７３７１８号公報
【特許文献２】特開２０１５−２１０９５２号公報
【発明の概要】
【発明が解決しようとする課題】
【０００４】
ところで、コネクタの小型化に伴い、ハウジングの奥に装着されるパッキンとハウジングに対して側方からパッキンの隣接位置に装着されるリテーナとが近接されることがある。すると、リテーナをハウジングに装着させる際に、ハウジングにリテーナをロックさせるリテーナのロック片の装着方向の先端側の角部がパッキンに接触し、リテーナの装着作業が円滑に行われないことがある。また、リテーナの角部がパッキンに接触することでパッキンが変形し、シール性が低下するおそれがある。
【０００５】
本発明は、上述した事情に鑑みてなされたものであり、その目的は、パッキンによる良好なシール性を確保しつつリテーナを円滑に装着することが可能な防水コネクタを提供することにある。
【課題を解決するための手段】
【０００６】
本発明に係る上記目的は、下記構成により達成される。
（１）  接続端子を収容する端子収容室を備えたコネクタ部を有し、前記コネクタ部が相手側ハウジングの嵌合凹部に嵌合されることで前記相手側ハウジングと接合されるハウジングと、
前記相手側ハウジングとの接合端側から前記コネクタ部に嵌装され、前記コネクタ部と前記相手側ハウジングの前記嵌合凹部とを防水する環状のパッキンと、
前記コネクタ部における前記パッキンの装着位置よりも前記接合端側において、前記端子収容室への前記接続端子の挿入方向と直交する方向から装着されて前記接続端子を係止可能なリテーナと、
を備え、
前記リテーナは、
前記コネクタ部に形成されて前記コネクタ部の側面で開口するリテーナ装着穴に嵌め込まれる本体部と、
前記本体部から外側へ延び、前記リテーナ装着穴へ前記本体部を嵌合させた際に前記コネクタ部の外面を係止するロック片と、
を有し、
前記ロック片は、前記パッキン側に、前記コネクタ部に対する装着方向の前方側へ向かって次第に前記パッキンから離れる方向へ傾斜する逃げ部を有する
ことを特徴とする防水コネクタ。
【０００７】
上記（１）の構成の防水コネクタによれば、リテーナのロック片が、パッキン側に、コネクタ部に対する装着方向の前方側へ向かって次第にパッキンから離れる方向へ傾斜する逃げ部を有する。したがって、リテーナをコネクタ部のリテーナ装着穴へ嵌め込む際に、ロック片における装着方向の前方側の角部がパッキンに接触するのを抑制できる。これにより、コネクタ部へリテーナを装着させる際にパッキンを変形させることによるシール性の低下を抑えつつリテーナをコネクタ部へ円滑に装着することができる。
【０００８】
（２）  上記（１）に記載の防水コネクタであって、前記逃げ部は、前記装着方向に対する傾斜角度が４５°未満とされている
ことを特徴とする防水コネクタ。
【０００９】
上記（２）の構成の防水コネクタによれば、逃げ部の装着方向に対する傾斜角度が４５°未満とされているので、ロック片における逃げ部と逃げ部以外との境界部分を極力滑らかにすることができる。これにより、リテーナをコネクタ部のリテーナ装着穴へ嵌め込む際に、装着方向の前方側の角部だけでなく、逃げ部と逃げ部以外との境界部分がパッキンに接触して変形させるのを抑制でき、リテーナをコネクタ部へより円滑に装着することができる。
【００１０】
（３）  上記（１）または（２）に記載の防水コネクタであって、前記コネクタ部には、前記接合端側にフロントホルダが組付けられ、
前記パッキンは、前記フロントホルダ及び前記リテーナの前記ロック片によって前記コネクタ部から抜け止めされる
ことを特徴とする防水コネクタ。
【００１１】
上記（３）の構成の防水コネクタによれば、フロントホルダとともに、パッキンを変形させることなくコネクタ部へ円滑に装着されたリテーナのロック片によってパッキンを抜け止めさせることができる。
【発明の効果】
【００１２】
本発明によれば、パッキンによる良好なシール性を確保しつつリテーナを円滑に装着することが可能な防水コネクタを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】本発明の一実施形態に係る防水コネクタの先端側から視た斜視図である。
【図２】本実施形態に係る防水コネクタの分解斜視図である。
【図３】本実施形態に係る防水コネクタの正面図である。
【図４】本実施形態に係る防水コネクタの側面図である。
【図５】図３におけるＡ−Ａ断面図である。
【図６】図３におけるＢ−Ｂ断面図である。
【図７】図４におけるＣ−Ｃ断面図である。
【図８】リテーナを外した状態の図３におけるＡ−Ａ断面図である。
【図９】リテーナを外した状態の図３におけるＢ−Ｂ断面図である。
【図１０】リテーナを外した状態の図４におけるＣ−Ｃ断面図である。
【図１１】リテーナの一端部の斜視図である。
【図１２】コネクタ部の下方側から視た斜視図である。
【図１３】コネクタ部の一部の側面図である。
【図１４】コネクタ部へのパッキンの装着手順を示す図であって、（ａ）〜（ｃ）は、それぞれコネクタ部の側面図である。
【図１５】コネクタ部へのリテーナの装着手順を示す図であって、（ａ）〜（ｃ）は、それぞれコネクタ部の側面図である。
【発明を実施するための形態】
【００１５】
以下、本発明に係る実施の形態の例を、図面を参照して説明する。
図１は、本発明の一実施形態に係る防水コネクタの先端側から視た斜視図である。図２は、本実施形態に係る防水コネクタの分解斜視図である。図３は、本実施形態に係る防水コネクタの正面図である。図４は、本実施形態に係る防水コネクタの側面図である。図５は、図３におけるＡ−Ａ断面図である。図６は、図３におけるＢ−Ｂ断面図である。図７は、図４におけるＣ−Ｃ断面図である。
【００１６】
図１〜図７に示すように、本実施形態に係る防水コネクタ１０は、先端側が接続部１１とされており、この先端側の接続部１１が相手側コネクタに接合される。防水コネクタ１０は、合成樹脂製のハウジング２０を備えている。ハウジング２０は、相手側コネクタの相手側ハウジング１との接合方向である先端側へ突出するコネクタ部２１を有している。コネクタ部２１は、相手側ハウジング１に形成された嵌合凹部２に嵌合される（図５参照）。
【００１７】
ハウジング２０には、コネクタ部２１の上下にフード部２２，２３が設けられている。フード部２２，２３は、その後端側がコネクタ部２１に連設されて先端側へ延在されており、コネクタ部２１は、その上下がフード部２２，２３によって覆われている。下方のフード部２３には、窓部２４が形成されている。
【００１８】
ハウジング２０には、その後端における上部にロック部２５が形成されている。ハウジング２０は、嵌合された相手側ハウジング１をロック部２５が係止することで相手側ハウジング１との接合状態が維持される。また、ハウジング２０には、その両側に支軸２６が形成されている。ハウジング２０の支軸２６には、レバー３０が回動可能に支持される。
【００１９】
レバー３０は、合成樹脂から成形されたもので、一対の側板部３１と、連結部３２とを有している。それぞれの側板部３１は、連結部３２によって連結されている。側板部３１には、軸受孔３４及びカム溝３５が形成されている。軸受孔３４には、ハウジング２０に形成された支軸２６が挿入される。これにより、レバー３０は、ハウジング２０に対して回動可能に支持される。カム溝３５は、湾曲形状に形成されており、一端側が挿入口３５ａとされている。レバー３０は、カム溝３５の挿入口３５ａがハウジング２０の先端側に配置された位置が挿抜可能位置とされている。そして、レバー３０が挿抜可能位置とされた状態において、挿入口３５ａに対して相手側ハウジング１に形成されたボス（図示略）が挿抜可能とされている。
【００２０】
このレバー３０を備えた防水コネクタ１０では、レバー３０を挿抜可能位置に配置させた状態において、相手側ハウジング１の嵌合凹部２に接続部１１を嵌め込むことで、挿入口３５ａに相手側ハウジング１のボスが挿入される。そして、この状態からレバー３０を回動させると、相手側ハウジング１のボスがレバー３０のカム溝３５に引き込まれてカム溝３５に沿って移動する。これにより、防水コネクタ１０と相手側コネクタとの間に嵌合力が生じ、防水コネクタ１０が相手側コネクタへ容易に接合される。また、接合状態からレバー３０を逆方向へ回動させると、相手側ハウジング１のボスがカム溝３５に沿って逆方向へ移動し、挿入口３５ａへ押し出される。これにより、防水コネクタ１０と相手側コネクタとの間に離脱力が生じ、防水コネクタ１０が相手側コネクタから容易に離脱される。
【００２１】
ハウジング２０のコネクタ部２１には、複数の端子収容室４１が前後方向に沿って形成されている。これらの端子収容室４１には、コネクタ部２１の後端側から電線１２の端部に接続された接続端子１３が挿し込まれて収容される。コネクタ部２１の後端側は、電線導出部４２とされており、接続端子１３に接続された電線１２が電線導出部４２から引き出される。端子収容室４１には、それぞれランス４３が形成されている。これらのランス４３は、各端子収容室４１に挿し込まれて収容された接続端子１３を係止し、挿入方向Ｄ１の後方側であるハウジング２０の後端側への移動を規制する。
【００２２】
図８は、リテーナを外した状態の図３におけるＡ−Ａ断面図である。図９は、リテーナを外した状態の図３におけるＢ−Ｂ断面図である。図１０は、リテーナを外した状態の図４におけるＣ−Ｃ断面図である。
【００２３】
図８〜図１０に示すように、コネクタ部２１には、リテーナ装着穴４４が形成されている。リテーナ装着穴４４は、端子収容室４１への接続端子１３の挿入方向Ｄ１と直交する方向に形成されており、コネクタ部２１の下方側でフード部２３の窓部２４と連通するように開口されている。このリテーナ装着穴４４には、二重係止部材であるリテーナ７０が装着方向Ｄ２へ向かって嵌め込まれて装着される。
【００２４】
リテーナ７０は、コネクタ部２１の端子収容室４１に対応する複数の連通孔７１を有しており、これらの連通孔７１には、係止部７２が形成されている。リテーナ装着穴４４に嵌め込まれるリテーナ７０は、リテーナ装着穴４４に対して完全に嵌合されない仮係止位置と、リテーナ装着穴４４に完全に嵌合された本係止位置とに配置される。コネクタ部２１に対してリテーナ７０が仮係止位置に配置された状態で、端子収容室４１へ挿し込まれる接続端子１３は、リテーナ７０の連通孔７１へ挿通可能とされる。これに対して、コネクタ部２１に対してリテーナ７０が本係止位置に配された状態で、端子収容室４１に挿し込まれてランス４３に係止された接続端子１３が、ランス４３とともに係止部７２によって二重に係止される。また、端子収容室４１に対して接続端子１３がランス４３によって係止される所定位置へ配置されていない不完全挿入状態である場合、仮係止位置に配置されたリテーナ７０は、係止部７２が接続端子１３に干渉し、本係止位置への移動が規制される。したがって、このリテーナ７０の本係止位置への移動が規制されることによって端子収容室４１への接続端子１３の半挿入が検知可能とされている。
【００２５】
コネクタ部２１は、リテーナ装着穴４４よりも後方側である奥側がパッキン装着部４７とされており、このパッキン装着部４７の後方側には、係止段部４５が形成されている。コネクタ部２１には、先端側である接合端からパッキン４６が嵌装され、パッキン装着部４７に配置される。パッキン４６は、例えば、ゴム等の柔軟性材料からなるもので、環状に形成されている。このパッキン４６は、接合された相手側ハウジング１の嵌合凹部２の縁部における内周面に密着する。これにより、ハウジング２０と相手側ハウジング１との接合箇所を防水する。
【００２６】
コネクタ部２１には、その先端側にフロントホルダ５０が装着される。フロントホルダ５０は、合成樹脂から成形されたもので、前面板部５１と、カバー部５２とを有している。カバー部５２は、前面板部５１の周縁から後方へ延在されている。前面板部５１には、コネクタ部２１の端子収容室４１に対応する位置に開口部５３を有している。コネクタ部２１は、装着されたフロントホルダ５０によって、その前面及びパッキン４６よりも先端側におけるリテーナ装着穴４４の形成位置を除く周面が覆われる。そして、フロントホルダ５０が装着されたコネクタ部２１では、端子収容室４１に挿入されて収容された接続端子１３の挿入方向Ｄ１の前方側への移動が規制される。また、フロントホルダ５０が装着されることで、パッキン装着部４７に装着されたパッキン４６は、フロントホルダ５０によってコネクタ部２１から抜け止めされる。そして、コネクタ部２１が相手側ハウジング１の嵌合凹部２に嵌合されると、相手側ハウジング１から突出されているタブ（図示略）が開口部５３から接続端子１３へ挿し込まれ、タブと接続端子１３とが電気的に接続される。
【００２７】
コネクタ部２１は、電線導出部４２とされた後端側に、シール取付凹部５５が形成されている。このシール取付凹部５５には、コネクタ部２１の後端側からマットシール５６が嵌め込まれて装着される。マットシール５６は、例えば、ゴム等の柔軟性材料からなるもので、板状に形成されている。マットシール５６には、端子収容室４１に対応する位置にシール孔５７が形成されており、このシール孔５７に接続端子１３に接続された電線１２が通される。そして、このマットシール５６によって、コネクタ部２１のシール取付凹部５５における内周面と、各電線１２の外周面との間が防水される。
【００２８】
また、コネクタ部２１の後端には、シールカバー６０が取り付けられる。このシールカバー６０によってコネクタ部２１のシール取付凹部５５が覆われている。シールカバー６０には、マットシール５６のシール孔５７に対応する位置に挿通孔６１が形成されており、これらの挿通孔６１には、シール孔５７から引き出された電線１２が挿通される。そして、このシールカバー６０をコネクタ部２１の後端側から取り付けることで、シール取付凹部５５に嵌め込まれたマットシール５６がコネクタ部２１に保持される。
【００２９】
図１１は、リテーナの一端部の斜視図である。
図１１に示すように、リテーナ７０は、連通孔７１が形成された本体部７３と、この本体部７３の両側部に形成されたロック片７４とを有している。ロック片７４は、本体部７３の下端から側方へ張り出し、さらに、本体部７３の側面に沿って、上方であるリテーナ装着穴４４への装着方向Ｄ２に沿って延在されている。ロック片７４には、本体部７３側に、仮係止爪７５と本係止爪７６とが形成されている。
【００３０】
リテーナ７０は、コネクタ部２１のリテーナ装着穴４４に対して本体部７３が嵌合され、ロック片７４が、コネクタ部２１の側壁８２の外面側に配置される。このロック片７４は、コネクタ部２１に対してリテーナ７０をロックさせる。また、コネクタ部２１に装着されたリテーナ７０は、コネクタ部２１の外側に配置されるロック片７４が、パッキン４６のコネクタ部２１からの抜け止めも兼ねている。つまり、リテーナ７０をコネクタ部２１に装着することで、パッキン装着部４７に装着されたパッキン４６は、フロントホルダ５０とともにリテーナ７０のロック片７４によってコネクタ部２１から抜け止めされる。
【００３１】
リテーナ７０には、本体部７３とロック片７４との間に、補強リブ７７が形成されている。この補強リブ７７によってロック片７４の本体部７３との連設箇所が補強されている。
【００３２】
図９に示すように、ロック片７４は、リテーナ装着穴４４への装着方向Ｄ２の端部に、逃げ部７８を有している。逃げ部７８は、コネクタ部２１に装着した状態でパッキン装着部４７側に形成されている。この逃げ部７８は、リテーナ装着穴４４への装着方向Ｄ２の前方へ向かってパッキン装着部４７から離れる方向へ傾斜するテーパ形状とされている。この逃げ部７８の装着方向Ｄ２に対する傾斜角度θは、４５°未満とされている。
【００３３】
図１２は、コネクタ部の下方側から視た斜視図である。図１３は、コネクタ部の一部の側面図である。
図１２及び図１３に示すように、コネクタ部２１には、切欠き部８１が形成されている。これらの切欠き部８１は、コネクタ部２１におけるリテーナ装着穴４４を形成する両側壁８２の縁部に形成されている。切欠き部８１は、リテーナ装着穴４４に嵌合されるリテーナ７０に形成された補強リブ７７に対応する位置に形成されている。これにより、リテーナ７０は、その補強リブ７７が側壁８２に干渉することなく、リテーナ装着穴４４に嵌合可能とされている。この切欠き部８１は、その幅寸法Ｗ１が、パッキン４６の幅寸法Ｗ２よりも小さくされている。
【００３４】
また、切欠き部８１が形成された側壁８２は、その縁部におけるパッキン装着部４７側に傾斜部８３を有している。傾斜部８３は、コネクタ部２１の先端側からパッキン装着部４７へ向かって嵌装されるパッキン４６の嵌装方向Ｄ３に向かって次第に外側へ傾斜されている。
【００３５】
コネクタ部２１には、リテーナ装着穴４４を形成する両側壁８２の外面に、二つの突条８５ａ，８５ｂが形成されており、これらの突条８５ａ，８５ｂの間が溝部８６とされている。リテーナ７０は、仮係止位置に配置された状態で、仮係止爪７５が突条８５ａを係止し、本係止位置に配置された状態で、本係止爪７６が溝部８６内に入り込んで突条８５ｂを係止する。
【００３６】
次に、コネクタ部２１に対してパッキン４６及びリテーナ７０を装着させる場合について説明する。
図１４は、コネクタ部へのパッキンの装着手順を示す図であって、図１４（ａ）〜図１４（ｃ）は、それぞれコネクタ部の側面図である。図１５は、コネクタ部へのリテーナの装着手順を示す図であって、図１５（ａ）〜図１５（ｃ）は、それぞれコネクタ部の側面図である。
【００３７】
（パッキン４６の装着）
図１４（ａ）に示すように、環状のパッキン４６は、その内形がコネクタ部２１の外形よりも小さくされている。コネクタ部２１の外形よりも内形が小さいパッキン４６をコネクタ部２１に嵌装させて装着するためには、まず、パッキン４６を広げる。
【００３８】
そして、図１４（ｂ）に示すように、広げたパッキン４６をコネクタ部２１の先端側である接合端に嵌装させる。
【００３９】
次に、図１４（ｃ）に示すように、パッキン４６をコネクタ部２１の後端側へスライドさせ、コネクタ部２１の奥の係止段部４５に当接するまで押し込み、パッキン装着部４７に配置させる。
【００４０】
（リテーナ７０の装着）
図１５（ａ）に示すように、コネクタ部２１にリテーナ７０を装着するには、コネクタ部２１のリテーナ装着穴４４に対してリテーナ７０を近接させる。
【００４１】
そして、図１５（ｂ）に示すように、リテーナ７０を、その本体部７３をリテーナ装着穴４４へ挿し込みながらコネクタ部２１へ押し込む。
【００４２】
図１５（ｃ）に示すように、コネクタ部２１に対してリテーナ７０をさらに押し込み、本体部７３をリテーナ装着穴４４へ嵌合させる。コネクタ部２１へ押し込まれるリテーナ７０は、まず、仮係止爪７５が突条８５ａ，８５ｂを乗り越えて突条８５ａを係止することで仮係止位置に配置され、端子収容室４１における接続端子１３の挿抜が可能な仮係止状態とされる。リテーナ７０は、仮係止状態からさらにコネクタ部２１へ押し込まれることで、本係止爪７６が溝部８６内に入り込んで突条８５ｂを係止することで本係止位置に配置され、接続端子１３を係止部７２によって係止する本係止状態とされる。
【００４３】
ところで、リテーナ７０をコネクタ部２１に装着する際に、ロック片７４の装着方向Ｄ２の先端の角部がパッキン４６に接触すると、リテーナ７０の装着作業が円滑に行われないことがある。また、リテーナ７０のロック片７４の角部がパッキン４６に接触することでパッキン４６が変形すると、パッキン４６によるシール性が低下するおそれがある。
【００４４】
これに対して、本実施形態に係る防水コネクタ１０によれば、リテーナ７０のロック片７４が、パッキン４６側に、コネクタ部２１に対する装着方向Ｄ２の前方側へ向かって次第にパッキン４６から離れる方向へ傾斜する逃げ部７８を有する。したがって、リテーナ７０をコネクタ部２１のリテーナ装着穴４４へ嵌め込む際に、ロック片７４における装着方向Ｄ２の前方側の角部がパッキン４６に接触するのを抑制できる。これにより、コネクタ部２１へリテーナ７０を装着させる際にパッキン４６を変形させることによるシール性の低下を抑えつつリテーナ７０をコネクタ部２１へ円滑に装着することができる。
【００４５】
しかも、逃げ部７８の装着方向Ｄ２に対する傾斜角度が４５°未満とされているので、ロック片７４における逃げ部７８と逃げ部７８以外との境界部分を極力滑らかにすることができる。これにより、リテーナ７０をコネクタ部２１のリテーナ装着穴４４へ嵌め込む際に、装着方向Ｄ２の前方側の角部だけでなく、逃げ部７８と逃げ部７８以外との境界部分がパッキン４６に接触して変形させるのを抑制でき、リテーナ７０をコネクタ部２１へより円滑に装着することができる。
【００４６】
また、フロントホルダ５０とともに、パッキン４６を変形させることなくコネクタ部２１へ円滑に装着されたリテーナ７０のロック片７４によってパッキン４６を抜け止めさせることができる。
【００４７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４８】
例えば、上記実施形態では、回動されることでハウジング２０と相手側ハウジング１との間に嵌合力及び離脱力を付与するレバー３０を備えたレバー式の場合を例示して説明したが、本発明の防水コネクタ１０は、レバー式に限らない。
【００４９】
ここで、上述した本発明に係る防水コネクタの実施形態の特徴をそれぞれ以下［１］〜［３］に簡潔に纏めて列記する。
［１］  接続端子（１３）を収容する端子収容室（４１）を備えたコネクタ部（２１）を有し、前記コネクタ部（２１）が相手側ハウジング（１）の嵌合凹部（２）に嵌合されることで前記相手側ハウジング（１）と接合されるハウジング（２０）と、
前記相手側ハウジング（１）との接合端側から前記コネクタ部（２１）に嵌装され、前記コネクタ部（２１）と前記相手側ハウジング（１）の前記嵌合凹部（２）とを防水する環状のパッキン（４６）と、
前記コネクタ部（２１）における前記パッキン（４６）の装着位置よりも前記接合端側において、前記端子収容室（４１）への前記接続端子（１３）の挿入方向（Ｄ１）と直交する方向から装着されて前記接続端子（１３）を係止可能なリテーナ（７０）と、
を備え、
前記リテーナ（７０）は、
前記コネクタ部（２１）に形成されて前記コネクタ部（２１）の側面で開口するリテーナ装着穴（４４）に嵌め込まれる本体部（７３）と、
前記本体部（７３）から外側へ延び、前記リテーナ装着穴（４４）へ前記本体部（７３）を嵌合させた際に前記コネクタ部（２１）の外面を係止するロック片（７４）と、
を有し、
前記ロック片（７４）は、前記パッキン（４６）側に、前記コネクタ部（２１）に対する装着方向（Ｄ２）の前方側へ向かって次第に前記パッキン（４６）から離れる方向へ傾斜する逃げ部（７８）を有する
ことを特徴とする防水コネクタ。
［２］  上記［１］に記載の防水コネクタであって、
前記逃げ部（７８）は、前記装着方向（Ｄ２）に対する傾斜角度（θ）が４５°未満とされている
ことを特徴とする防水コネクタ。
［３］  上記［１］または［２］に記載の防水コネクタであって、
前記コネクタ部（２１）には、前記接合端側にフロントホルダ（５０）が組付けられ、
前記パッキン（４６）は、前記フロントホルダ（５０）及び前記リテーナ（７０）の前記ロック片（７４）によって前記コネクタ部（２１）から抜け止めされる
ことを特徴とする防水コネクタ。
【符号の説明】
【００５０】
１…相手側ハウジング
２…嵌合凹部
１０…防水コネクタ
１３…接続端子
２０…ハウジング
２１…コネクタ部
４１…端子収容室
４４…リテーナ装着穴
４６…パッキン
５０…フロントホルダ
７０…リテーナ
７３…本体部
７４…ロック片
７８…逃げ部
Ｄ１…挿入方向
Ｄ２…装着方向
θ…傾斜角度
【図１】
2020024824.tif 000003
【図２】
2020024824.tif 000004
【図３】
2020024824.tif 000005
【図４】
2020024824.tif 000006
【図５】
2020024824.tif 000007
【図６】
2020024824.tif 000008
【図７】
2020024824.tif 000009
【図８】
2020024824.tif 000010
【図９】
2020024824.tif 000011
【図１０】
2020024824.tif 000012
【図１１】
2020024824.tif 000013
【図１２】
2020024824.tif 000014
【図１３】
2020024824.tif 000015
【図１４】
2020024824.tif 000016
【図１５】
2020024824.tif 000017